(57)【要約】【課題】上流側から送り出される原稿を下流側へ案内する案内部材の変形を抑制することができる原稿搬送装置、画像読取り装置および画像形成装置を提供する。【解決手段】原稿が積載される原稿積載部であって、原稿が積載可能な積載位置と、原稿積載部の重力方向下側の空間が開放される開放位置と、の間を移動可能に支持された原稿積載部と、送りローラと、送りローラに圧接する分離ローラと、を有し、送りローラと分離ローラとのニップで原稿積載部から送り出される原稿を分離する分離部と、原稿積載部から送り出される原稿を分離部のニップに案内する案内部材と、を備え、原稿積載部が開放位置に移動する際に、分離ローラと案内部材が互いに離間するように移動する。【選択図】図６
2018052702.tif 000002
【特許請求の範囲】
【請求項１】
原稿が積載される原稿積載部であって、前記原稿が積載可能な積載位置と、前記原稿積載部の重力方向下側の空間が開放される開放位置と、の間を移動可能に支持された前記原稿積載部と、
送りローラと、前記送りローラに圧接する分離ローラと、を有し、前記送りローラと前記分離ローラとのニップで前記原稿積載部から送り出される前記原稿を分離する分離部と、
前記原稿積載部から送り出される前記原稿を前記分離部の前記ニップに案内する案内部材と、を備え、
前記原稿積載部が前記開放位置に移動する際に、前記分離ローラと前記案内部材が互いに離間するように移動する、
ことを特徴とする原稿搬送装置。
【請求項２】
前記原稿積載部は、一端側に前記分離部に向けて突出する突起部を有し、
前記分離ローラは、前記ニップを形成する分離位置と前記ニップが解除される退避位置との間で移動可能に保持する保持部材に回転支持され、
前記原稿積載部が前記開放位置に移動する際に、前記案内部材は原稿送り出し方向における上流側に向かって移動し、前記分離ローラは前記突起部が前記保持部材に突出して設けられた腕部に接触して前記ニップが解除され、原稿送り出し方向における下流側に向かって移動する、
ことを特徴とする請求項１に記載の原稿搬送装置。
【請求項３】
前記案内部材は、一端が前記原稿積載部に固定され、他端が前記ニップの送り出し方向上流側において前記分離ローラを覆うように突出するフィルム状のマイラーである、
ことを特徴とする請求項１又は２に記載の原稿搬送装置。
【請求項４】
原稿の画像を読み取る撮像部材と、
前記撮像部材が前記原稿を読み取る読取り位置に前記原稿を搬送する請求項１ないし３のいずれか１項に記載の原稿搬送装置と、を備えた、
ことを特徴とする画像読取り装置。
【請求項５】
原稿の画像を読み取る請求項４に記載の画像読取り装置と、
前記画像読取り装置で読み取った画像を記録媒体に記録する画像記録装置と、を備えた、
ことを特徴とする画像形成装置。
【発明の詳細な説明】
【技術分野】
【０００１】
本発明は、原稿搬送装置、画像読取り装置および画像形成装置に関する。
【背景技術】
【０００２】
筐体に配置され、シートが積載されるシート積載部と、シート積載部に積載されたシートが所定のシート搬送方向に搬送されるシート搬送路と、シート積載部のシート搬送方向下流側に対向して配置され、シートをシート搬送方向に搬送する給紙ローラと、給紙ローラに対向して配置され、給紙ローラとの間でシートが通過するニップ部を形成し、かつ、シートを１枚ずつシート搬送方向に搬送させる分離パッドと、分離パッドを固定支持し、かつ、筐体に着脱可能なホルダーと、筐体に配置され、ホルダーが装着される装着空間を備える装着部と、装着部に配置され、ホルダーを装着空間に案内する案内部材と、を有し、ホルダーは、装着空間への装着時に、案内部材に沿ってスライド移動し、分離パッドのニップ形成時に、装着空間において案内部材に押し当てられる給紙装置が知られている（特許文献１）。
【先行技術文献】
【特許文献】
【０００３】
【特許文献１】特開２０１４−２３１４１７号公報
【発明の概要】
【発明が解決しようとする課題】
【０００４】
本発明は、上流側から送り出される原稿を下流側へ案内する案内部材の変形を抑制することができる原稿搬送装置、画像読取り装置および画像形成装置を提供することを目的とする。
【課題を解決するための手段】
【０００５】
前記課題を解決するために、請求項１に記載の原稿搬送装置は、
原稿が積載される原稿積載部であって、前記原稿が積載可能な積載位置と、前記原稿積載部の重力方向下側の空間が開放される開放位置と、の間を移動可能に支持された前記原稿積載部と、
送りローラと、前記送りローラに圧接する分離ローラと、を有し、前記送りローラと前記分離ローラとのニップで前記原稿積載部から送り出される前記原稿を分離する分離部と、
前記原稿積載部から送り出される前記原稿を前記分離部の前記ニップに案内する案内部材と、を備え、
前記原稿積載部が前記開放位置に移動する際に、前記分離ローラと前記案内部材が互いに離間するように移動する、
ことを特徴とする。
【０００６】
請求項２記載の発明は、請求項１に記載の原稿搬送装置において、
前記原稿積載部は、一端側に前記分離部に向けて突出する突起部を有し、
前記分離ローラは、前記ニップを形成する分離位置と前記ニップが解除される退避位置との間で移動可能に保持する保持部材に回転支持され、
前記原稿積載部が前記開放位置に移動する際に、前記案内部材は原稿送り出し方向における上流側に向かって移動し、前記分離ローラは前記突起部が前記保持部材に突出して設けられた腕部に接触して前記ニップが解除され、原稿送り出し方向における下流側に向かって移動する、
ことを特徴とする。
【０００７】
請求項３記載の発明は、請求項１又は２に記載の原稿搬送装置において、
前記案内部材は、一端が前記原稿積載部に固定され、他端が前記ニップの送り出し方向上流側において前記分離ローラを覆うように突出するフィルム状のマイラーである、
ことを特徴とする。
【０００８】
前記課題を解決するために、請求項４に記載の画像読取り装置は、
原稿の画像を読み取る撮像部材と、
前記撮像部材が前記原稿を読み取る読取り位置に前記原稿を搬送する請求項１ないし３のいずれか１項に記載の原稿搬送装置と、を備えた、
ことを特徴とする。
【０００９】
前記課題を解決するために、請求項５に記載の画像形成装置は、
原稿の画像を読み取る請求項４に記載の画像読取り装置と、
前記画像読取り装置で読み取った画像を記録媒体に記録する画像記録装置と、を備えた、
ことを特徴とする。
【発明の効果】
【００１０】
請求項１、４、５に記載の発明によれば、原稿積載部が開放位置に移動する際に、分離ローラが案内部材から離間するように移動する構成を有しない場合に比して、案内部材の変形を抑制することができる。
請求項２に記載の発明によれば、原稿積載部を開放位置に移動させることで、分離ローラを案内部材から離間させることができる。
請求項３に記載の発明によれば、原稿の送り出し間隔を短くすることができる。
【図面の簡単な説明】
【００１１】
【図１】画像形成装置の内部構成を示す断面模式図である。
【図２】読取部の内部構成を示す断面構成図である。
【図３】原稿積載部が開放位置に保持された読取部の内部構成を示す断面構成図である。
【図４】原稿積載部と分離部の構成を示す断面斜視図である。
【図５】（ａ）は原稿積載部のトレイ本体の斜視図、（ｂ）はリタードホルダの斜視図である。
【図６】トレイ本体の回転操作に伴うマイラーフィルムとリタードローラの移動を説明する断面模式図である。
【発明を実施するための形態】
【００１２】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００１３】
（１）画像形成装置の全体構成及び動作
図１は本実施形態に係る画像形成装置１の内部構成を示す断面模式図、図２は読取部２の内部構成を示す断面構成図である。
以下、図面を参照しながら、画像形成装置１の全体構成及び動作を説明する。
【００１４】
（１．１）全体構成
画像形成装置１は、原稿から画像を読み取って画像データに変換する読取手段としての読取部２、読み取った画像データを記録媒体としての用紙に印刷する印刷手段としての画像形成部３、ユーザーインターフェイスとしての操作情報部４、画像処理部５、を備えて構成されている。
【００１５】
読取部２は、原稿積載部２１と、自動原稿送り部２２と、画像読取部２３とを備えて構成されている。自動原稿送り部２２は、原稿積載部２１に置かれた原稿Ｇを画像読取部２３の読取位置に搬送し、画像読取部２３でＣＣＤ（Charge Coupled Device）ラインセンサ等のイメージセンサ（不図示）で読み取られた画像は電気信号である画像データに変換される。
【００１６】
画像形成部３は、給紙装置３２、露光装置３３、感光体ユニット３４、現像装置３５、転写装置３６、定着装置３７を備えて構成され、画像処理部５から受け取った画像情報を給紙装置３１から送り込まれた用紙Ｐ上にトナー像として形成する。
【００１７】
読取部２の前面側には、ユーザーインターフェイスとしての操作情報部４が配置されている。操作情報部４は、液晶表示パネル、各種操作ボタン、タッチパネル等を組み合わせて構成され、画像形成装置１の使用者は、操作情報部４を介して各種の設定や指示の入力を行う。また、液晶表示パネルを介して画像形成装置１の使用者へ各種情報を表示する。
【００１８】
画像処理部５は、読取部２で読み取られた画像及び外部機器（例えばパーソナルコンピュータ等）から送信された印刷情報から画像データを生成する。
【００１９】
（１．２）読取部
読取部２は、原稿積載部２１と、自動原稿送り部２２と、画像読取部２３とを備えている。なお、原稿積載部２１と自動原稿送り部２２は、画像読取部２３の上方へ開閉可能に連結されている。
【００２０】
原稿積載部２１は、画像が記録された原稿Ｇが置かれる昇降プレート２１２を備えている。昇降プレート２１２は、積載される原稿Ｇの枚数に応じて昇降可能で、原稿Ｇの上面がナジャーローラ２２１に接触するよう上昇した位置で原稿Ｇを保持する。
【００２１】
自動原稿送り部２２は、昇降プレート２１２上に積載された原稿Ｇを上から順に取り出すナジャーローラ２２１と、送りローラとしてのフィードローラ２２２とフィードローラ２２２に圧接する分離ローラとしてのリタードローラ２２３からなる分離部２２４を備えている。
分離部２２４では、フィードローラ２２２とリタードローラ２２３とが対となって、原稿Ｇが重なってニップ部Ｎに送り出された場合に、原稿Ｇを分離して（捌いて）一枚ずつ画像読取部２３に搬送する。
【００２２】
搬送路Ｓには、原稿Ｇの搬送方向に対して、フィードローラ２２２の下流側の位置に搬送ローラ２２５が配置されている。搬送ローラ２２５はクラッチ（不図示）を介して回転制御され、フィードローラ２２２で送り出される原稿Ｇを一旦停止させてループを形成した後、斜行を補正しながらプレレジローラ２２６へ搬送する。
【００２３】
プレレジローラ２２６の下流側には、原稿Ｇの搬送タイミングを調整するレジローラ２２７が配置されている。プレレジローラ２２６は停止しているレジローラ２２７に原稿Ｇの先端を突き当てた状態でループを形成して斜行を補正する。レジローラ２２７は読み取りの開始タイミングに合わせて回転駆動され、原稿Ｇは搬送ローラ２２５及びプレレジローラ２２６でループを保持された状態でプラテンローラ２２８によって、原稿通過面ＰＧ１に押し当てられて表面を画像読取部２３で読み取られる。
【００２４】
原稿通過面ＰＧ１の右方には、操作者が載置した原稿Ｇが支持される原稿載置面ＰＧ２が配置されている。原稿通過面ＰＧ１と、原稿載置面ＰＧ２との間には、原稿ガイドＰＧ３が配置され、原稿通過面ＰＧ１を通過した原稿Ｇは原稿ガイドＰＧ３に案内されて読取センサ２３２へ搬送される。表面を画像読取部２３で読み取られた原稿Ｇは、読取センサ２３２で裏面を読み取られながら、排出ローラ２２９で原稿積載部２１の下方に形成された排紙部２１７に排出される。
【００２５】
原稿載置面ＰＧ２２の下部には、原稿Ｇの画像を光学的に読み取って電気信号に変換する画像読取センサ２３１が設けられており、原稿通過面ＰＧ１上を通過する原稿Ｇ、又は、原稿載置面ＰＧ２上に設置された原稿Ｇの画像を読み取る。読み取った画像は、電気信号である画像データに変換される。
【００２６】
（１．３）画像形成部
画像形成部３では、画像形成のタイミングに合わせて給紙装置３１から印刷ジョブで印刷の１枚毎に指定された用紙Ｐが画像形成部３へ送り込まれる。
【００２７】
感光体ユニット３３は、給紙装置３１の上方（Ｚ方向）に、それぞれが並列して設けられ、回転駆動する感光体ドラム３４１を備えている。露光装置３２により静電潜像が形成されたそれぞれの感光体ドラム３４１上には、それぞれの現像装置３４によってイエロー（Ｙ）、マゼンタ（Ｍ）、シアン（Ｃ）、黒（Ｋ）のトナー像が形成される。
【００２８】
各感光体ユニット３３の感光体ドラム３４１に形成された各色トナー像は、転写装置３５の中間転写ベルト３６１上に順次静電転写（一次転写）され、各色トナーが重畳された重畳トナー像が形成される。中間転写ベルト３６１上の重畳トナー像は、レジストローラ対３２１から送り出され、搬送ガイドにより案内された用紙Ｐに二次転写ローラ３６２によって一括転写される。  
【００２９】
定着装置３６は一対の加熱モジュール３７１と加圧モジュール３７２の圧接領域によって定着ニップＦＮ（定着領域）が形成される。
転写装置３５においてトナー像が一括転写された用紙Ｐは、トナー像が未定着の状態で搬送ガイド３６３を介して定着装置３６の定着ニップＦＮに搬送され、一対の加熱モジュール３７１と加圧モジュール３７２により、圧着と加熱の作用でトナー像が定着される。
【００３０】
定着トナー像が形成された用紙Ｐは、切替ゲートＧ１にガイドされ、第１排出ローラ対３７３から画像形成装置１上面の排紙トレイ部ＴＲ１に排出・収容される。また、両面印刷のために反転したり、画像記録面を上側にして排出する場合は、切替ゲートＧ１で搬送路３７５に向って搬送方向が切り替えられる。
【００３１】
（２）原稿積載部と分離部の構成と動作
図３は原稿積載部２１が開放位置に保持された読取部２の内部構成を示す断面構成図、図４は原稿積載部２１と分離部２２４の構成を示す断面斜視図、図５（ａ）は原稿積載部２１のトレイ本体２１１の斜視図、（ｂ）はリタードホルダ２４０の斜視図、図６はトレイ本体２１１の回転操作に伴うマイラーフィルム２１４とリタードローラ２２３の移動を説明する断面模式図である。以下、図面を参照しながら、原稿積載部２１と分離部２２４の構成と動作について説明する。
【００３２】
（２．１）原稿積載部と分離部の全体構成
自動原稿送り部２２は、原稿積載部２１からナジャーローラ２２１で送り出された原稿Ｇを一枚ずつ分離して画像読取部２３に送り出す分離部２２４を備えている。
【００３３】
図４に示すように、原稿積載部２１は、トレイ本体２１１に昇降プレート２１２を昇降可能に支持し、原稿送り出し側には原稿端揃え部２１３が形成されている。原稿端揃え部２１３は、リタードローラ２２３に近接して形成され、原稿端揃え部２１３の上方には、フィードローラ２２２に近接してナジャーローラ２２１が配置されている。
【００３４】
原稿積載部２１の原稿端揃え部２１３には、ナジャーローラ２２１で送り出される原稿Ｇを分離部２２４へ案内する案内部材の一例としてのマイラーフィルム２１４が、その先端側がリタードローラ２２３を覆うように固定されている。
このように分離部２２４に原稿Ｇを送り出すナジャーローラ２２１が近接して配置されているために、読取部２が小型化されるとともに、読取の高速化が図られている。
【００３５】
（２．２）原稿積載部
原稿積載部２１は、トレイ本体２１１と、トレイ本体２１１に回転可能に支持された昇降プレート２１２とを有し、昇降プレート２１２の上面２１２ａには原稿Ｇが積載される。
トレイ本体２１１の左端部（−Ｘ方向）には、トレイ本体２１１の左端から上方（Ｚ方向）に立ち上がる立ち壁状の原稿端揃え部２１３が形成され、昇降プレート２１２の上面２１２ａに積載された原稿Ｇの一端側（原稿送り出し方向における先端側）が接触して先端揃えがなされる。
【００３６】
トレイ本体２１１の前後（Ｙ方向）両端部には、トレイ本体２１１の左端部から上方に立ち上がる立ち壁状の前壁２１３Ａ及び後壁２１３Ｂが形成されている。前壁２１３Ａ及び後壁２１３Ｂには、支持孔２１３Ａａ、２１３Ｂａが形成され、原稿Ｇが積載可能な図２に示す積載位置と、トレイ本体２１１の重力方向下側の空間が開放されて、排紙部２１７の原稿が取り出される図３に示す開放位置と、の間を移動可能に回転支持されている。
【００３７】
原稿端揃え部２１３の内面２１３ａの中央部にはリタードローラ２２３を覆う幅で案内部材の一例としてのマイラーフィルム２１４の一端が貼り付けられて固定されている。
マイラーフィルム２１４の他端側（先端側）は、原稿端揃え部２１３に対して折り曲げられた自由端であり、トレイ本体２１１が積載位置に位置した状態で分離部２２４のニップ部Ｎの送り出し方向上流側においてリタードローラ２２３を覆うように配置されている。これにより、ナジャーローラ２２１で送り出される薄紙原稿をニップ部Ｎへ確実に案内するともに、原稿Ｇの先端ダメージを抑制している。
【００３８】
原稿端揃え部２１３の外面２１３ｂには分離部２２４に向けて突出する突起部２１５が設けられている。突起部２１５は、後述するリタードホルダ２４０の一端に張り出すように形成された腕部２４１に接触して、トレイ本体２１１の回転移動に伴ってリタードローラ２２３のニップを解除する。
【００３９】
（２．３）分離部
分離部２２４は、原稿積載部２１の原稿送り出し方向における下流側で、フィードローラ２２２とフィードローラ２２２に圧接してニップ部Ｎを形成するリタードローラ２２３から構成されている。フィードローラ２２２は、ナジャーローラ２２１と同方向に回転し、ナジャーローラ２２１から送り出される原稿Ｇに対してさらに搬送方向下流側へと搬送する。
【００４０】
リタードローラ２２３にはトルクリミッタ（不図示）を介して原稿搬送方向とは逆方向の回転となるように駆動が伝達されている。リタードローラ２２３に圧接しているフィードローラ２２２は原稿搬送方向へ回転することでリタードローラ２２３には原稿搬送方向へのトルクが与えられる。トルクリミッタの設定トルクはリタードローラ２２３がフィードローラ２２２から付与されるトルクよりも小さい値に設定されているため、リタードローラ２２３はフィードローラ２２２の回転を受けて原稿搬送方向に従動回転する。
【００４１】
分離部２２４のニップ部Ｎに２枚以上の原稿が送られてきた場合（重送）、フィードローラ２２２、リタードローラ２２３と原稿Ｇとの摩擦係数よりも原稿間の摩擦係数が小さいため、トルクリミッタの作用により原稿搬送方向と逆方向の駆動が伝達されたリタードローラ２２３は原稿搬送方向と逆方向に回転する。その結果、最上位の原稿以外の原稿は原稿積載部２１の方向に戻され、原稿Ｇは分離するように捌かれる。
【００４２】
リタードローラ２２３は、保持部材の一例としてのリタードホルダ２４０に回転可能に支持されている。リタードホルダ２４０には、リタードローラ２２３に対して原稿送り出し方向下流側に回転支持孔２４３が形成され、リタードローラ２２３は、フィードローラ２２２と接触してニップを形成する分離位置とニップが解除される退避位置との間で移動可能に支持されている。
リタードホルダ２４０の原稿送り出し方向下流側には、付勢部材としての引張りコイルスプリングＳＲが張架されて、リタードローラ２２３は、フィードローラ２２２に圧接されるように付勢されている（図６（ａ）参照）。
【００４３】
リタードホルダ２４０の側部には、リタードローラ２２３の回転軸方向に張り出して腕部２４１が形成されている。腕部２４１は、リタードホルダ２４０の移動方向に沿うように傾斜して形成されたカム面２４２を有し、カム面２４２にトレイ本体２１１の突起部２１５の先端部２１５ａが接触してリタードホルダ２４０が回転する。
【００４４】
（２．４）トレイ本体の回転移動
このように構成される原稿積載部２１と分離部２２４は、図６（ａ）に示すように、原稿Ｇの送り出し時には、原稿積載部２１が積載位置に位置して、マイラーフィルム２１４の先端２１４ｂがリタードローラ２２３を覆うように配置されている。
このように原稿積載部２１が積載位置に位置している状態では、リタードローラ２２３の上面を案内部材としてのマイラーフィルム２１４が覆っているために、リタードローラ２２３を交換する場合には、マイラーフィルム２１４をリタードローラ２２３上から離間させる必要がある。
【００４５】
本実施形態においては、図６（ｂ）に示すように、トレイ本体２１１を掲載位置から開放位置へ回転移動させる（図６（ｂ）中  矢印Ｒ１）と、まず、トレイ本体２１１の突起部２１５の先端部２１５ａがリタードホルダ２４０の腕部２４１のカム面２４２に接触してリタードホルダ２４０が回転する（図中  矢印Ｒ２）。
リタードローラ２２３は、回転支点となる回転支持孔２４３がリタードローラ２２３に対して原稿送り出し方向における下流側に形成されているために、リタードホルダ２４０の回転に伴ってフィードローラ２２２から離間するとともに、マイラーフィルム２１４からも離間するように移動する。
【００４６】
トレイ本体２１１は、回転支点となる支持孔２１３Ａａ、２１３Ｂａがマイラーフィルム２１４に対して原稿送り出し方向（図６（ａ）中  矢印Ｒ参照）における上流側に形成されているために、トレイ本体２１１の原稿端揃え部２１３に固定されたマイラーフィルム２１４は、トレイ本体２１１の回転に伴って、リタードローラ２２３から離間するように移動する。
【００４７】
トレイ本体２１１を更に回転させる（図６（ｃ）中  矢印Ｒ１）と、図６（ｃ）に示すように、トレイ本体２１１の突起部２１５の先端部２１５ａがリタードホルダ２４０の腕部２４１のカム面２４２に接触しながら移動してリタードホルダ２４０を更に回転させる（図６（ｃ）中  矢印Ｒ２）。そして、マイラーフィルム２１４は、トレイ本体２１１の回転に伴ってリタードローラ２２３から離間した状態で移動する。
その結果、トレイ本体２１１の回転操作に伴って、リタードローラ２２３とマイラーフィルム２１４が互いに離間するように移動して、リタードローラ２２３を交換する際にマイラーフィルム２１４の変形を抑制することができる。
【００４８】
読取が終了して排紙部２１７に排出された原稿Ｇを取り出す場合には、排紙部２１７を開放するように原稿積載部２１を上方に回転させる。
このとき、トレイ本体２１１の回転操作に伴って、リタードローラ２２３とマイラーフィルム２１４が互いに離間するように移動して、マイラーフィルム２１４はリタードローラ２２３に接触することがなく、マイラーフィルム２１４の変形を抑制している。
【符号の説明】
【００４９】
１・・・画像形成装置
２・・・読取部
２１・・・原稿積載部
２１１・・・トレイ本体
２１２・・・昇降プレート
２１３・・・原稿端揃え部
２１４・・・マイラーフィルム
２１５・・・突起部
２１７・・・排紙部
２２・・・自動原稿送り部
２２１・・・ナジャーローラ
２２２・・・フィードローラ
２２３・・・リタードローラ
２２５・・・搬送ローラ
２２６・・・プレレジローラ
２２７・・・レジローラ
２２８・・・プラテンローラ
２２９・・・排出ローラ
２４０・・・リタードホルダ
２４１・・・腕部
２３・・・画像読取部
ＰＧ１・・・原稿の通過面
３・・・画像形成部
４・・・操作情報部
５・・・画像処理部
【図１】
2018052702.tif 000003
【図２】
2018052702.tif 000004
【図３】
2018052702.tif 000005
【図４】
2018052702.tif 000006
【図５】
2018052702.tif 000007
【図６】
2018052702.tif 000008